(57)【要約】【課題】ファクシミリ装置などの通信装置において、ページ先頭への発信元情報の付加を可能とし、かつ発信元情報付き画像データの送信ジョブの高速化を図る。【解決手段】ネットワークを介して接続された送信元の通信端末機より受信したＰＤＬデータＡに、発信元情報データ５ａをページの先頭に付加して送信用ＰＤＬデータＢを生成し、その後に、この送信用ＰＤＬデータＢをラスタライズしてから符号化して、ファクシミリ送信する。【選択図】図２
2004104292.tif 000002
【特許請求の範囲】
【請求項１】
ＰＤＬデータをラスタライズした後、符号化してファクシミリ送信する機能を備えた通信装置において、
ネットワークを介して接続された送信元の通信端末機より受信したＰＤＬデータに、発信元情報データをページの先頭に付加して送信用ＰＤＬデータを生成し、その後に、この送信用ＰＤＬデータをラスタライズしてから符号化して、ファクシミリ送信することを特徴する通信装置。
【請求項２】
請求項１において、
上記発信元情報データは、ページ記述言語で記述されていることを特徴とする通信装置。
【請求項３】
請求項１または２において、
上記発信元情報データは、ネットワークに接続された複数の通信端末機に対応して準備されたものであり、データテーブルとして保存されていることを特徴とする通信装置。
【請求項４】
請求項１または２において、
上記発信元情報データは、予め保存されたデータと、ＰＤＬデータとともに送られてくる送信元識別情報とを合成したものであることを特徴とする通信装置。
【発明の詳細な説明】
【０００１】
【発明の属する技術分野】
本発明は、パソコンなどの通信端末機から伝送される受信データをイメージデータに変換する前に、発信元情報（ＴＴＩ）を付加するようにしたネットワーク型の通信装置に関する。
【０００２】
【従来の技術】
従来のファクシミリ装置は、スキャナで読み取った原稿のイメージデータの先頭行に発信元情報（ＴＴＩ）を付加した後、相手先装置に送信している。これにより、受信側の利用者は、どこから送信されてきたのかがひと目でわかる。
【０００３】
一方、パソコン等とＬＡＮなどのネットワークを介して接続して、パソコンからプリンタ印字やファクシミリ送信を可能としたパソコン接続対応のファクシミリ装置がある。
【０００４】
この種の装置には、ＰＣファクシミリ送信用のＰＤＬ（ページ記述言語）で記述されたデータがパソコンから送られてくると、これをビットマップ形式のイメージデータに変換した後に、上記と同様に発信元情報を付加して相手先に送信するものがある。なお、装置によっては発信元情報を付加しないものもある。ここで、ＰＤＬで記述されたデータ（ＰＤＬデータ）には、文字やグラフィックスをページ上のベクトル情報などで表現されたデータが含まれる。
【０００５】
この種の先行技術として、特開平８−９７９４５号公報に開示された特許請求の範囲（請求項３）には、１ページ単位のデータを作成する際に、発信元、宛名、発信時刻等の情報をキャラクタデータで挿入するデータ通信装置が記載されている（特許文献１参照）。
【０００６】
【特許文献１】
特開平８−９７９４５号公報
【発明が解決しようとする課題】
ところが、イメージデータどうしを合成することは処理時間を要するため、ＰＣファクシミリ送信ジョブの高速化の妨げとなっている。
【０００７】
本発明は、上記事情を考慮してなされたもので、その目的は、ファクシミリ装置などの通信装置において、ページ先頭への発信元情報の付加を可能とし、かつ発信元情報付き画像データの送信ジョブを高速化することにある。
【０００８】
また、第２の目的は、通信装置に複数クライアントを接続している場合でも、それぞれのクライアントを識別可能な発信元情報を付加できるようにすることにある。
【０００９】
【課題を解決するための手段】
上記目的を達成するために、請求項１に記載の通信装置は、ＰＤＬデータをラスタライズした後、符号化してファクシミリ送信する機能を備えた通信装置であって、次の特徴を有する。
【００１０】
この通信装置は、通信装置にネットワークを介して接続された通信端末機よりＰＤＬデータを受信し、このデータと発信元情報データとを合成して、ページの先頭に発信元情報が付加されるようにて送信用ＰＤＬデータを生成し、その後に、この送信用ＰＤＬデータをラスタライズしてから符号化して、ファクシミリ送信する。
【００１１】
すなわち、ラスタライズ処理してビットマップデータにする前に発信元情報を受信データに付加し、新たなＰＤＬデータを生成する。そのため、ビットマップデータで合成処理するよりは高速化が図れる。
【００１２】
請求項２では、発信元情報データが、ページ記述言語で記述されていることを特徴とする。
【００１３】
請求項３では、発信元情報データが、ネットワークに接続された複数の通信端末機に対応して準備されたものであり、データテーブルとして保存されていることを特徴とする。
【００１４】
請求項４では、発信元情報データが、予め保存されたデータと、ＰＤＬデータとともに送られてくる送信元識別情報とを合成したものであることを特徴とする。
【００１５】
送信元識別情報は、たとえば、ファクシミリ送信を指示するために通信端末機から送られてくるＰＪＬデータなどのコマンドに含まれている送信元識別情報を利用すればよい。
【００１６】
【発明の実施の形態】
以下に、本発明の実施の形態について添付図面とともに説明する。
【００１７】
図１は、本発明の通信装置の構成例を示したブロック図である。
【００１８】
ここでは、通信装置として、ファクシミリ機能、コピー機能、プリンタ機能を備えたファクシミリ装置（複合機）Ｆを示しているが、これには限定されない。パソコンからＰＤＬ（ページ記述言語）データを受信して、このデータをラスタライズした後、符号化してファクシミリ送信するＰＣファクシミリ機能を備えた装置であればよい。
【００１９】
図において、１はＣＰＵなどで構成され、以下の各部を制御する主制御部、２は公衆回線Ｌへのネットワーク制御を行うＮＣＵ、３はファクシミリ通信を行うために信号の変調と復調を行うモデム、４は符号化した画像データを一時格納する画像メモリ、５は発信元情報データ５ａなどの各種データを格納するためのＲＡＭ、６は制御プログラムなどを予め格納したＲＯＭ、７は液晶画面などで構成された表示部、８は各種操作キーなどで構成された操作部、９は原稿から画データを読み取る読取部、１０はファクシミリ受信した画像や読取部９から読み取った画像を所定の記録紙に印字出力する記録部、１１はＬＡＮ等のネットワークに接続される複数の通信端末機（パソコンなど）Ｐと所定のプロトコルにしたがって通信制御するＰＣインターフェース部である。
【００２０】
このファクシミリ装置Ｆは、読取部９で読み取った画像データを順次符号化した後、いったん画像メモリ４に蓄積し、モデム３、ＮＣＵ２を介して、相手先のファクシミリ装置（不図示）に送信する一方、画像データを受信すると、受信した画像データを画像メモリ４に蓄積し、順次読み出し復号して、記録部１０によって印字出力するという基本動作を実行する。なお、符号化、復号処理は、ＣＰＵ１がＲＯＭ６からプログラムを読み出して実行するようにしているが、ハードウェアで構成されたＣＯＤＥＣ部（不図示）を設けて処理させてもよい。
【００２１】
ファクシミリ装置Ｆは、このような通常のファクシミリ送受信機能を有するほか、接続されたパソコンＰから伝送されてきた画像を印字出力するプリンタ機能と、パソコンＰから伝送されてきた画像を相手先装置に送信するＰＣファクシミリ送信機能とをさらに備えている。
【００２２】
まず、プリンタ機能の基本動作について説明する。
【００２３】
パソコンＰのアプリケーションから印字指令があると、原稿データはページ記述言語（ＰＤＬ）データに変換されて、ファクシミリ装置Ｆに伝送されてくる。
【００２４】
ファクシミリ装置Ｆでは、このＰＤＬデータをラスタライズ処理してビットマップデータ（イメージデータともいう）を作成した後、これを読み出して印字出力する。
【００２５】
本実施例では、ＰＤＬデータとして、文字やグラフィックスをページ上のベクトル情報に表現したデータを使用しており、このデータをラスタライズ処理することによりイメージデータが生成される。
【００２６】
次に、ＰＣファクシミリ送信機能の基本動作について図２とともに説明する。
【００２７】
パソコンＰのＦＡＸ用アプリケーションからＦＡＸ送信指令があると、原稿データはＰＤＬデータに変換されて、ファクシミリ装置Ｆに伝送されてくる。
【００２８】
ファクシミリ装置Ｆでは、この受信したＰＤＬデータＡを直接ラスタライズ処理せず、受信したＰＤＬデータに発信元情報データ５ａを付加合成して送信用ＰＤＬデータＢを生成し、このデータＢをラスタライズ処理してビットマップデータＣを作成した後、さらに符号化圧縮した後、モデム３、ＮＣＵ２を介して、相手先のファクシミリ装置（不図示）に送信する。
【００２９】
ここで、発信元情報は、たとえば「○○株式会社　営業部」などで表わされる、ファクシミリ装置Ｆの所在を示すような識別文字情報で、発信元情報データ５ａは、この情報をＰＤＬ形式で予め保存したものでもよいし、文字データのみであってもよい。
【００３０】
なお、図２には、ファクシミリ装置Ｆ内でビットマップデータＣが生成されるまでの概念図を示している。図中、イメージデータＣ中のＣ１は発信元情報イメージ部分、Ｃ２は受信画像イメージ部分を示している。
【００３１】
このように本発明では、ビットマップデータを作成した後に発信元情報を付加合成するのではなく、ラスタライズ処理する前に、発信元情報を含んだ送信用ＰＤＬデータを作成している。
【００３２】
すなわち、ベクトルデータにおける合成処理を行っているため、ビットマップデータで合成処理するよりは高速化が図れる。
【００３３】
図３は、ＰＣファクシミリ送信時の基本動作を示すフローチャートである。
【００３４】
ファクシミリ装置Ｆは、パソコンＰからデータを受信すると、ＰＣファクシミリ送信データかプリンタデータかを判断し、プリンタデータであればＰＤＬデータをラスタライズして印字出力する（以上、１０３、１０４）。
【００３５】
ＰＣファクシミリ送信データの場合、送信元であるパソコンＰの識別情報や送信先情報、画像サイズ情報などを含んだＰＪＬ（コマンド）データと、ＰＤＬデータとを１ページ分受信し、発信元情報と受信ＰＤＬデータの合成処理、ラスタライズ処理、符号化処理を実行し、以上を全ページ分について繰り返し、全ページ分の画像データを順次、ＰＪＬデータで示される送信先に送信する（以上、１０５〜１１３）。すなわち、送信元情報は全ページに付加して送信する。
【００３６】
このように、ＰＣファクシミリ送信であっても、通常のファクシミリ送信機能と同様に、発信元情報をページの先頭に付け加えて送信することができる。しかも、ＰＤＬデータで処理しているため高速のＰＣファクシミリ送信ジョブが実現できる。
【００３７】
以上は、ファクシミリ装置Ｆに接続されるパソコンＰが複数であっても、同一の発信元情報を付加するようにしたものを示しているが、接続されるパソコンごとに異なる発信元情報を付加するようにしてもよい。
【００３８】
図４には、ネットワークに接続された複数の通信端末機Ｐに対応して準備されたデータテーブルＤで構成される発信元情報データ５ａを示している。
【００３９】
このテーブルＤには、接続されるパソコンＰ、Ｐ・・・に対応して、その識別情報が保存されている。たとえば、「＃１　営業１課○○」、「＃２　営業２課××」などが定義されており、ＰＪＬデータの送信元情報から判断したパソコンに対応するテーブルＤ中のデータを、「○○株式会社　営業部」に付加して「○○株式会社　営業部　＃１　営業１課○○」とし、これをページ先頭に挿入する。なお、テーブルデータには、ＰＤＬデータで定義してもよいし、キャラクタデータとして定義し、付加合成時にＰＤＬに変換するようにしてもよい。
【００４０】
また、このようなテーブルを持たずに、ＰＪＬデータに含まれる送信元識別情報を付加するようにしてもよい。
【００４１】
このように、クライアントの識別情報も発信元情報としてページ先頭に付加されるので、ファクシミ案内文に送信元を記述する必要がない。また、ＰＪＬデータに含まれる送信先情報も発信元情報データに含めれば、案内文そのものをなくすこともできる。
【００４２】
【発明の効果】
以上の説明からも理解できるように、請求項１〜４に記載の通信装置は、通信端末機から送られてくるＰＤＬデータに発信元情報データを付加してからラスタライズしているので、処理の高速化が図れる。
【００４３】
また、請求項３、４では、接続するクライアントごとの発信元情報が付加できるので、送信相手先は、発信元情報（ＴＴＩ）を見ただけで、送信元であるクライアントの名称（たとえば、個人名）も知ることができる。
【図面の簡単な説明】
【図１】本発明の通信装置の構成例を示したブロック図である。
【図２】受信したＰＤＬデータにもとづいてビットマップ（イメージ）データが生成されるまでの概念図を示している。
【図３】ＰＣファクシミリ送信時の基本動作を示すフローチャートである。
【図４】データテーブルで構成された発信元情報データを示す図である。
【符号の説明】
Ｆ・・・通信装置
１・・・主制御部
５ａ・・・発信元情報データ
Ａ・・・受信ＰＤＬデータ
Ｂ・・・送信用ＰＤＬデータ
Ｃ・・・イメージデータ
Ｄ・・・発信元情報データテーブル
Ｐ・・・通信端末機（パソコン）
【図１】
2004104292.tif 000003
【図２】
2004104292.tif 000004
【図３】
2004104292.tif 000005
【図４】
2004104292.tif 000006